(57)【要約】      （修正有）【課題】動き易くて着心地が良く、デザイン性にも優れたウェストゴム入りのカシュクールタイプの衣服を提供する。【解決手段】衣服１は、第１前身頃１０と、第１前身頃１０に外側からカシュクール状に重ね合わせられる第２前身頃２０と、第１前身頃１０及び第２前身頃２０に結合される後身頃と、第１前身頃１０に取り付けられた第１ウェストベルト４０とを備える。後身頃は、着用者のウェスト付近の高さ位置において左右方向に取り付けられた第１ウェストゴムを有する。着用者のウェスト付近の高さ位置において、第２前身頃２０、後身頃、又は第２前身頃２０と後身頃との間に開口が形成されている。第１ウェストベルト４０は、開口を内側から外側に通り抜け、第１ウェストゴムに沿って巻き付けられるようにして固定される。【選択図】図１
0003214945.tif 000002
【実用新案登録請求の範囲】
【請求項１】
着用者に着用される衣服であって、
第１前身頃と、
前記第１前身頃に外側からカシュクール状に重ね合わせられる第２前身頃と、
前記着用者のウェスト付近の高さ位置において左右方向に取り付けられた第１ウェストゴムを有し、前記第１前身頃及び前記第２前身頃に結合される後身頃と、
前記第１前身頃に取り付けられた第１ウェストベルトと
を備え、
前記着用者のウェスト付近の高さ位置において、前記第２前身頃、前記後身頃、又は前記第２前身頃と前記後身頃との間に開口が形成されており、
前記第１ウェストベルトは、前記開口を内側から外側に通り抜け、前記第１ウェストゴムに沿って巻き付けられるようにして固定される、
衣服。
【請求項２】
前記第２前身頃に取り付けられた第２ウェストベルト
をさらに備え、
前記第１ウェストベルトは、前記第２ウェストベルトと結束されることにより、前記第１ウェストゴムに沿って巻き付けられるようにして固定される、
請求項１に記載の衣服。
【請求項３】
前記第１前身頃の内側に配置され、前記後身頃とともに前記着用者の上半身を通す筒を形成する第３前身頃
をさらに備え、
前記第３前身頃は、前記第１前身頃と前記第２前身頃とをカシュクール状に重ね合わせた状態で、前記着用者の前方から部分的に見えるように構成されている、
請求項１又は２に記載の衣服。
【請求項４】
前記第３前身頃は、前記着用者のウェスト付近の高さ位置において左右方向に取り付けられた第２ウェストゴムを有する、
請求項３に記載の衣服。
【請求項５】
前記第３前身頃は、上下方向に延びる分離ラインに沿って開くように構成されており、
前記分離ラインは、前記第１前身頃と前記第２前身頃とをカシュクール状に重ね合わせた状態で、前記着用者の前方から見えない位置に配置される、
請求項３又は４に記載の衣服。
【請求項６】
前記第３前身頃は、前記分離ラインに沿って取り付けられたスライドファスナーを有する、
請求項５に記載の衣服。
【請求項７】
前記第１前身頃、前記第２前身頃及び前記後身頃は、上下方向よりも左右方向の方がストレッチ性が高い、
請求項１から６のいずれかに記載の衣服。
【請求項８】
ワンピース又はチュニックである、
請求項１から７のいずれかに記載の衣服。
【考案の詳細な説明】
【技術分野】
【０００１】
本考案は、カシュクールタイプの衣服に関し、これに限定されないが、特に肥った体格の女性に適したカシュクールタイプの衣服に関する。
【背景技術】
【０００２】
カシュクールと呼ばれる衣服の装飾がある。カシュクールとは、胸元が着物のように前打ち合わせになった装飾のことを言い、主として女性用の衣服に用いられる。カシュクールとは、以上のような装飾を有する衣服自体のことを指すこともある。特許文献１は、妊娠中及び出産後のいずれにおいても着用できるように調整可能なカシュクールタイプのワンピースを開示している。
【０００３】
ところで、着心地を高め、着用者が動き易くするために、衣服のウェスト部分にゴムが取り付けられることがある。ウェスト部分に取り付けられたゴム（以下、ウェストゴムということがある）は、着用者のウェスト周りのサイズの変化に対応することができ、例えば、食事の前後で腹囲が変化したとしても、衣服の着心地を損なうことなくその変化を吸収することができる。また、肥った体格の女性に特に当てはまり易いこととして、衣服のウェスト部分が腹部に食い込むことがあるが、ウェストゴムの衣服では、このような問題も解消され得る。
【先行技術文献】
【特許文献】
【０００４】
【特許文献１】特開２０１６−９８４４３号公報
【考案の概要】
【考案が解決しようとする課題】
【０００５】
しかしながら、ウェストゴムは、カジュアルな印象を与える。よって、ウェストゴムは、カシュクールタイプのような装飾性の高い衣服の場合、衣服のデザイン性を損ない得るため、敬遠されがちである。
【０００６】
本考案は、動き易くて着心地が良く、デザイン性にも優れたウェストゴム入りのカシュクールタイプの衣服を提供することを目的とする。
【課題を解決するための手段】
【０００７】
本考案の第１観点に係る衣服は、着用者に着用される衣服であって、第１前身頃と、前記第１前身頃に外側からカシュクール状に重ね合わせられる第２前身頃と、前記第１前身頃及び前記第２前身頃に結合される後身頃と、前記第１前身頃に取り付けられた第１ウェストベルトとを備える。前記後身頃は、前記着用者のウェスト付近の高さ位置において左右方向に取り付けられた第１ウェストゴムを有する。前記着用者のウェスト付近の高さ位置において、前記第２前身頃、前記後身頃、又は前記第２前身頃と前記後身頃との間に開口が形成されている。前記第１ウェストベルトは、前記開口を内側から外側に通り抜け、前記第１ウェストゴムに沿って巻き付けられるようにして固定される。
【０００８】
本考案の第２観点に係る衣服は、第１観点に係る衣服であって、前記第２前身頃に取り付けられた第２ウェストベルトをさらに備える。前記第１ウェストベルトは、前記第２ウェストベルトと結束されることにより、前記第１ウェストゴムに沿って巻き付けられるようにして固定される。
【０００９】
本考案の第３観点に係る衣服は、第１観点又は第２観点に係る衣服であって、前記第１前身頃の内側に配置され、前記後身頃とともに前記着用者の上半身を通す筒を形成する第３前身頃をさらに備える。前記第３前身頃は、前記第１前身頃と前記第２前身頃とをカシュクール状に重ね合わせた状態で、前記着用者の前方から部分的に見えるように構成されている。
【００１０】
本考案の第４観点に係る衣服は、第３観点に係る衣服であって、前記第３前身頃は、前記着用者のウェスト付近の高さ位置において左右方向に取り付けられた第２ウェストゴムを有する。
【００１１】
本考案の第５観点に係る衣服は、第３観点又は第４観点に係る衣服であって、前記第３前身頃は、上下方向に延びる分離ラインに沿って開くように構成されている。前記分離ラインは、前記第１前身頃と前記第２前身頃とをカシュクール状に重ね合わせた状態で、前記着用者の前方から見えない位置に配置される。
【００１２】
本考案の第６観点に係る衣服は、第５観点に係る衣服であって、前記第３前身頃は、前記分離ラインに沿って取り付けられたスライドファスナーを有する。
【００１３】
本考案の第７観点に係る衣服は、第１観点から第６観点のいずれかに係る衣服であって、前記第１前身頃、前記第２前身頃及び前記後身頃は、上下方向よりも左右方向の方がストレッチ性が高い。
【００１４】
本考案の第８観点に係る衣服は、第１観点から第７観点のいずれかに係る衣服であって、ワンピース又はチュニックである。
【考案の効果】
【００１５】
第１ウェストゴムが取り付けられたカシュクールタイプの衣服が提供される。この衣服では、カシュクール状に重ね合わされる２枚の前身頃のうち、より内側の第１前身頃に第１ウェストベルトが取り付けられる。第１ウェストベルトは、着用者のウェスト付近の高さ位置において、より外側の第２前身頃、後身頃、又は第２前身頃と後身頃との間の開口を通り抜け、第１ウェストゴムに沿って巻き付けられるようにして固定される。つまり、見る者の目から第１ウェストゴムを隠すことができ、衣服のデザイン性を損なうことが防止される。以上より、動き易くて着心地が良く、デザイン性にも優れたウェストゴム入りのカシュクールタイプの衣服が提供される。
【図面の簡単な説明】
【００１６】
【図１】一実施形態に係る衣服の正面図。
【図２】一実施形態に係る衣服の背面図。
【図３】一実施形態に係る衣服の左右の前身頃を開いた状態を示す正面図。
【図４】一実施形態に係る衣服の左前身頃を閉じ、左ウェストベルトを巻き付けた状態を示す正面図。
【考案を実施するための形態】
【００１７】
以下、図面を参照しつつ、本考案の一実施形態に係る衣服について説明する。
＜１．全体構成＞
図１に、本実施形態に係る衣服１の正面図を示し、図２に、衣服１の背面図を示す。これらの図に示すように、本実施形態の衣服１は、女性用のカシュクールタイプのワンピース（以下、衣服１を、ワンピース１と呼ぶことがある）であり、左前身頃１０と、右前身頃２０と、左右の前身頃１０及び２０に結合されている後身頃３０とを有する。なお、特に断らない限り、本実施形態でいう衣服１の上下、左右及び前後は、衣服１が着用者に着用された状態を基準に定義される。左右の前身頃１０及び２０は、着物のように前打ち合わせで重ね合わせられ、着用者の胸元付近にカシュクールの装飾を形成する。ただし、本実施形態では、着物の通常の着方とは反対に、左前身頃１０が内側に、右前身頃２０が外側に配置される。
【００１８】
本実施形態では、左前身頃１０には、左ウェストベルト４０が取り付けられており、右前身頃２０には、右ウェストベルト５０が取り付けられている。左右のウェストベルト４０及び５０は、着用者のウェスト部分に巻き付けられ、着用者の左脇腹付近で互いに結束される。このとき、装飾性が高められるように、図１では特に示されていないが、蝶々結び等の方法で両ベルト４０及び５０を結束することができる。
【００１９】
左前身頃１０のさらに内側には、インナーとなる内前身頃７０が付属している。内前身頃７０は、左右の前身頃１０及び２０をカシュクール状に重ね合わせた状態で、カシュクールの装飾の内側において着用者の前方から部分的に見えるように配置され、カシュクールとの「重ね着」風の演出をする身頃である。
【００２０】
ワンピース１には、着心地を高め、着用者が動き易くなるように、ウェストゴム３５及び７５（図２及び図３参照）が取り付けられている。なお、ウェストゴム３５及び７５は、生地の中に縫い込まれているため、実際には外部から見えないが、図２及び図３では、参考のためその位置が示されている。ところで、一般に、ウェストゴムはカジュアルな印象を与えるため、カシュクールタイプのような装飾性の高い衣服には敬遠されがちである。また、着用者は、ウェストゴムの衣服であることを他人に知られることを嫌がる傾向にある。また、このことは、特に着用者が肥った体格の女性である場合に当てはまる。しかし、詳細は後述するが、本実施形態のウェストゴム３５は、左ウェストベルト４０により目隠しされ、もう一方のウェストゴム７５も、カシュクールにより目隠しされるため、以上のような着用者の心理に配慮することができる。
【００２１】
また、詳細は後述するが、ワンピース１には、動き易くて着心地が良くなるような各種工夫が凝らされているとともに、着脱を容易にするための工夫も凝らされている。よって、これに限定されないが、ワンピース１は、特に肥った体格の女性用の衣服として好ましく利用することができる。
【００２２】
＜２．各部の詳細＞
以下、ワンピース１の各部の構造について、より詳細に説明する。
【００２３】
＜２−１．左右の前身頃＞
左前身頃１０と、左前身頃１０に外側からカシュクール状に重ね合わせられる右前身頃２０とは、略左右対称の形状を有する。左前身頃１０の左端縁は、後身頃３０の左端縁に沿って、右前身頃２０の右端縁は、後身頃３０の右端縁に沿って縫製によりつなぎ合わされる。
【００２４】
左前身頃１０は、着用者の上半身前面を覆う左前上部１１と、下半身前面を覆う左前下部１２とを含む。同様に、右前身頃２０も、着用者の上半身前面を覆う右前上部２１と、下半身前面を覆う右前下部２２とを含む。上述したカシュクールの装飾は、左前上部１１及び右前上部２１により構成される一方、左前下部１２及び右前下部２２は、スカートの前部分を構成する。このように、ワンピース１のスカートの前部分は、左前下部１２及び右前下部２２による二枚重ねとなり、所謂「ラップスカート」を形成する。
【００２５】
本実施形態では、左前上部１１と左前下部１２とは、左前ベルト１３を介して縫製によりつなぎ合わせられる。また、左前上部１１及び左前下部１２には、左前ベルト１３を内側から覆うように、左見返しベルト１４も縫製により取り付けられる（図３参照）。同様に、右前上部２１と右前下部２２とは、右前ベルト２３を介してつなぎ合わせられ、右前上部２１及び右前下部２２には、右前ベルト２３を内側から覆うように、右見返しベルト２４が縫製により取り付けられる（図３参照）。ベルト１３、１４、２３及び２４は、着用者のウェスト付近の高さ位置において左右方向に延びている。
【００２６】
図１及び図３に示すとおり、左前下部１２は、装飾性及び着心地を高めるため、着用者のウェスト周りに沿ってギャザーが施されるように、左前ベルト１３に縫製される。右前下部２２も、同様の態様で右前ベルト２３に縫製される。そして、このギャザーにより、フレアスカートのようなふんわりとしたスカート部分のシルエットが実現される。左前ベルト１３には、着用者の左脇腹付近に対応する位置に、ベルト通し１５が取り付けられている。
【００２７】
図１、図３及び図４に示すとおり、右前ベルト２３と、これに内側から重ね合わせられる右見返しベルト２４には、開口Ｓ１が形成されている。開口Ｓ１は、着用者のウェスト付近の高さ位置、より具体的には右脇腹付近の位置に形成されており、詳細は後述するが、左ウェストベルト４０を通すための開口となる。
【００２８】
左右の前身頃１０及び２０を構成する生地の種類は特に限定されないが、本実施形態では、全てストレッチ性の高いストレッチ生地から構成されている。よって、ワンピース１は、着心地に優れており、動き易い。また、これらの生地は、全て上下方向よりも左右方向の方がストレッチ性が高い。そのため、ワンピース１は、左右方向に伸びやすく、肥った体格の着用者に特に適している。左右の前身頃１０及び２０は、例えば、ジョーゼット等のストレッチ織物から構成することができ、典型的には、合成繊維や絹、レーヨン等の糸から構成することができる。
【００２９】
＜２−２．後身頃＞
後身頃３０は、着用者の上半身背面を覆う後上部３１と、下半身背面を覆う後下部３２とを含む。後下部３２は、左前下部１２及び右前下部２２とともにスカートを構成し、特にスカートの後部分を構成する。
【００３０】
本実施形態では、後上部３１と後下部３２とは、縫製によりつなぎ合わせられる。また、後上部３１と後下部３２とのつなぎ目は、着用者のウェスト付近の高さ位置において左右方向に延び、後身頃３０には、このつなぎ目に沿ってウェストゴム３５が取り付けられている。また、後上部３１には、ウェストゴム３５に沿って、すなわち、着用者のウェスト周りに沿ってギャザーが施され、同様に、後下部３２にも、ウェストゴム３５に沿って、すなわち、着用者のウェスト周りに沿ってギャザーが施される。よって、ワンピース１は、着用者のウェスト周りに沿って「絞り」が形成されるため、着用者を細く、かつスタイル良く見せることができる。また、このギャザーにより、上述したように着用者の前方から見てのみならず、後方から見た場合にも、フレアスカートのようなふんわりとしたスカート部分のシルエットが実現される。
【００３１】
また、同時に、ウェストゴム３５の伸縮により、ワンピース１は着心地に優れ、着用者も動き易さが確保される。具体的には、ウェストゴム３５の伸縮により、ワンピース１のウェストサイズが着用者の腹囲に応じて調整される。そのため、ワンピース１は、食事の前後で着用者の腹囲が変化したとしても、着心地を損なうことなくその変化を吸収することができる。また、たとえ着用者が肥った体格であったとしても、ワンピース１のウェスト部分が着用者の腹部に食い込むことがなく、着用者が座っても腹部が締め付けられることがなく、苦しくない。
【００３２】
後身頃３０を構成する生地の種類は特に限定されないが、本実施形態では、全てストレッチ性の高いストレッチ生地から構成されている。よって、ワンピース１は、この点からも、着心地に優れており、動き易い。また、これらの生地は、全て上下方向よりも左右方向の方がストレッチ性が高い。そのため、ワンピース１は、左右方向に伸びやすく、肥った体格の着用者に特に適している。後身頃３０は、例えば、ジョーゼット等のストレッチ織物から構成することができ、典型的には、合成繊維や絹、レーヨン等の糸から構成することができる。本実施形態では、後身頃３０は、左右の前身頃１０及び２０と同じ生地から構成される。
【００３３】
＜２−３．内前身頃＞
図１に示すように、内前身頃７０は、カシュクールの装飾の内側に配置されるインナーであり、「重ね着」風に魅せる演出をする。内前身頃７０の左端縁は、左前身頃１０の左端縁及び後身頃３０の左端縁に沿って、内前身頃７０の右端縁は、右前身頃２０の右端縁及び後身頃３０の右端縁に沿って、縫製によりつなぎ合わされる。これにより、内前身頃７０は、後身頃３０とともに（主として、後上部３１とともに）着用者の上半身を通す筒を形成する。
【００３４】
図３に示すように、本実施形態の内前身頃７０は、中央部７１と、左右の脇見頃７２Ｌ及び７２Ｒと、左右の切替部７３Ｌ及び７３Ｒとを含む。左右の脇見頃７２Ｌ及び７２Ｒは、中央部７１の左右にそれぞれ配置される。左右の切替部７３Ｌ及び７３Ｒは、それぞれ左右の脇見頃７２Ｌ及び７２Ｒと、中央部７１とを連結する。
【００３５】
中央部７１は、カシュクールにより着用者の胸元に形成される逆三角形の隙間から見える部分である。そのため、装飾性を高めるため、中央部７１の少なくとも前面は、レース生地により構成したり、柄物の生地で構成したりすることが好ましく、左右の前身頃１０及び２０とは異素材の生地で構成することが特に好ましい。
【００３６】
内前身頃７０は、着脱を容易にするために、上下方向に延びる分離ラインＬ１に沿って開閉自在に構成されている。分離ラインＬ１は、中央部７１と左切替部７３Ｌとの境界に沿って形成されている。内前身頃７０には、分離ラインＬ１に沿ってスライドファスナー７４が取り付けられており、スライドファスナー７４は、開状態において、上下方向に沿って中央部７１と左切替部７３Ｌとを完全に切り離すことができる。よって、着用者は、ワンピース１の着用時には、スライドファスナー７４を開いて、後身頃３０と内前身頃７０との間に上半身を挟み込む。そして、その後、スライドファスナー７４を閉じることにより、内前身頃７０により形成されるインナーを容易に着用することができる。同様に、スライドファスナー７４を開くことにより、内前身頃７０により形成されるインナーを、容易に脱ぐことができる。なお、分離ラインＬ１及びこれに沿うスライドファスナー７４は、左右の前身頃１０及び２０をカシュクール状に重ね合わせた状態で、着用者の前方から見えない位置に配置されている。
【００３７】
中央部７１には、その下端縁に沿ってウェストゴム７５が取り付けられている。ウェストゴム７５は、着用者のウェスト付近の高さ位置において左右方向に延びている。ウェストゴム７５は、後身頃３０に取り付けられたウェストゴム３５と同様に、その伸縮により、ワンピース１の着心地を高め、着用者の動き易さを確保することができる。
【００３８】
本実施形態の左右の脇見頃７２Ｌ及び７２Ｒは、パワーネット生地で構成される。すなわち、着用者の腹部の左右両サイドにおいて、ストレッチ性に優れたパワーネット生地が使用されるため、内前身頃７０が着用者の脂肪の動きに対応することができ、着用者が苦しくない。また、着用者の上半身に内前身頃７０がしっかりとフィットするため、胸の浮きがなく、安心である。なお、本実施形態では、左右の脇見頃７２Ｌ及び７２Ｒは、左右の前身頃１０及び２０並びに後身頃３０の生地よりもストレッチ性が高い生地により構成される。
【００３９】
＜２−４．左右の袖＞
左前身頃１０の左前上部１１及び右前身頃２０の右前上部２１には、それぞれ左右の袖６０Ｌ及び６０Ｒが取り付けられている。なお、左右の袖６０Ｌ及び６０Ｒは、省略することも可能である。
【００４０】
＜２−５．左右のウェストベルト＞
左ウェストベルト４０は、左前身頃１０における着用者のウェスト付近の高さ位置において、より具体的には、左前ベルト１３及び左見返しベルト１４の右端縁に取り付けられている。反対に、右ウェストベルト５０は、右前身頃２０における着用者のウェスト付近の高さ位置において、より具体的には、右前ベルト２３及び右見返しベルト２４の左端縁に取り付けられている。
【００４１】
左右のウェストベルト４０及び５０を構成する生地の種類は特に限定されないが、本実施形態では、左右の前身頃１０及び２０並びに後身頃３０と同じ生地から構成される。
【００４２】
ワンピース１を着用するとき、着用者は、まず上述したように、内前身頃７０のインナーを着用する。そして、図４に示すように、左前身頃１０を着用者の身体の前面に巻き付けた後、左ウェストベルト４０を、右前身頃２０の開口Ｓ１に内側から外側に向かって通り抜けるように挿入する。次に、同じく図４に破線で示すように、開口Ｓ１を通り抜けて外面へ出た左ウェストベルト４０を、着用者の身体の背面に巻き付け、左脇腹の位置に形成されているベルト通し１５に挿入する。このとき、図２に示すように、左ウェストベルト４０は、後身頃３０に取り付けられたウェストゴム３５に沿ってウェストゴム３５を覆うように巻き付けられる。なお、図２では、分かり易いように、ウェストゴム３５が左ウェストベルト４０の下方からはみ出しているが、実際には、着用者の後方から見てウェストゴム３５ができる限り見えないように、左ウェストベルト４０が巻き付けられる。そして、右前身頃２０を着用者の身体の前面に巻き付けた後、右ウェストベルト５０と左ウェストベルト４０とを着用者の左脇腹付近で結束することにより、左右のウェストベルト４０及び５０の位置が固定される。
【００４３】
以上のようにウェストゴム３５が左ウェストベルト４０により目隠しされることにより、ウェストゴム３５が外観に響くことがなく、ワンピース１のデザイン性が高められる。また、左右のウェストベルト４０及び５０の結束位置は、着用者が調整することができるため、ワンピース１はサイズ調整が可能となり、幅広い体型の着用者に対応することができる。
【００４４】
＜３．変形例＞
以上、本考案の一実施形態について説明したが、本考案は上記実施形態に限定されるものではなく、その趣旨を逸脱しない限りにおいて、種々の変更が可能である。例えば、以下の変更が可能である。また、以下の変形例の要旨は、適宜組み合わせることができる。
【００４５】
＜３−１＞
上記実施形態では、衣服１は、ワンピースとされたが、これに限られない。ただし、衣服１の上述した様々な特徴は、ワンピースでなくとも、チュニック等の長尺の衣服に好ましく適用される。
【００４６】
＜３−２＞
上記実施形態では、左ウェストベルト４０が挿入される開口Ｓ１は、右前身頃２０に形成された。しかしながら、このような開口Ｓ１は、着用者のウェスト付近の高さ位置において、後身頃３０、又は右前身頃２０と後身頃３０との間に形成されてもよい。なお、衣服１のカシュクールの装飾は、上述したような左前である必要はなく、右前のデザインであってもよい。その場合、衣服１の左前身頃１０は、上述した右前身頃２０と左右対称の形状とし、右前身頃２０は、上述した左前身頃１０と左右対称の形状とすることができる。さらに、開口Ｓ１は、右ウェストベルト５０を通すことができるように、左前身頃１０、後身頃３０、又は左前身頃１０と後身頃３０との間に形成することができる。
【００４７】
＜３−３＞
上記実施形態では、ウェストゴム３５を目隠しする左ウェストベルト４０の位置は、右ウェストベルト５０と結束されることにより固定された。しかしながら、左ウェストベルト４０の位置の固定方法はこれに限られず、例えば、左ウェストベルト４０を着用者の左脇腹付近の位置等で、ボタンやホック等により留める構造とすることもできる。この場合、右前身頃２０も、ボタンやホック等により、左前身頃１０に重ねられた状態に固定することができる。
【符号の説明】
【００４８】
１  衣服（ワンピース）
１０  左前身頃（第１前身頃）
２０  右前身頃（第２前身頃）
３０  後身頃
３５  ウェストゴム（第１ウェストゴム）
４０  左ウェストベルト（第１ウェストベルト）
５０  右ウェストベルト（第２ウェストベルト）
７０  内前身頃（第３前身頃）
７４  スライドファスナー
７５  ウェストゴム（第２ウェストゴム）
Ｌ１  分離ライン
【図１】
0003214945.tif 000003
【図２】
0003214945.tif 000004
【図３】
0003214945.tif 000005
【図４】
0003214945.tif 000006